(57)【要約】【課題】大きな電流に対応する大型の部品や沢山の部品等を配設することができ、かつ、分電盤カバーに形成される窓孔を広げる手間を省くことができる回路遮断器を提供する。【解決手段】分電盤カバーに形成した窓孔に臨むｎ極分の幅寸法の状態表示部２が上面に形成された器体１を長手方向の分割線８、９で分割してケース３およびカバー４、５を形成し、ケース３およびカバー４、５間に各部品を横嵌め式に配設する回路遮断器において、状態表示部２の高さ位置よりも下段であって、カバー５のケース対向面とは反対側に１／２極分の幅寸法以上突出して、分電盤カバーの内面に臨む部品収納部１０を設けている。【選択図】　　図１
2004022371.tif 000002
【特許請求の範囲】
【請求項１】
分電盤カバーに形成した窓孔に臨むｎ極分の幅寸法の状態表示部が上面に形成された器体を長手方向の分割線で分割してケースおよびカバーを形成し、前記ケースおよび前記カバー間に各部品を横嵌め式に配設する回路遮断器において、
前記状態表示部の高さ位置よりも下段であって、前記カバーのケース対向面とは反対側に所定寸法突出して、前記分電盤カバーの内面に臨む部品収納部を設けたことを特徴とする回路遮断器。
【請求項２】
前記ケースおよび前記カバーは、状態表示部を分割する形で形成された請求項１記載の回路遮断器。
【請求項３】
前記カバーは、前記部品収納部が前記ケースの底面に対して面一に形成された請求項１または請求項２記載の回路遮断器。
【請求項４】
前記所定寸法は１／２極分の幅寸法以上である請求項１記載の回路遮断器。
【発明の詳細な説明】
【０００１】
【発明の属する技術分野】
本発明は、器体を長手方向で分割してケースおよびカバーを形成し、ケースおよびカバー間に各部品を横嵌め式に配設する漏電遮断器などの回路遮断器に関する。
【０００２】
【従来の技術】
この種の回路遮断器として特開平８　−１３８５１２号に示すものが存在する。
【０００３】
このものは、例えば図９に示すように分電盤カバーに形成した窓孔に臨む２極分の幅寸法の状態表示部が上面に形成された器体を長手方向で３分割して、ケース１０ａ　およびカバー１０ｂｘ、１０ｂｙを形成し、ケース１０ａ　およびカバー１０ｂｘ，１０ｂｙ間に各部品を横嵌め式に配設する回路遮断器であり、ケース１０ａ　およびカバー１０ｂｘ間には、状態表示部から操作可能なハンドルと、電圧線に介在する接点と、過電流が流れたときに変位して接点を強制開極させるバイメタルと、短終電流が流れたときに接点を瞬時に強制開極させる瞬時引外し装置等が配設され、ケース１０ａ　およびカバー１０ｂｙ間には、接地線に介在する接点と、各極に介在する編組線を貫通させて各極間に流れる不平衡電流を検出する零相変流器と、この零相変流器からの出力に基づいて漏電表示を行う漏電表示部材と、疑似漏洩電流を流す漏電テスト釦等が配設されている。
【０００４】
【発明が解決しようとする課題】
この回路遮断器は、特開２００１−２８８１０号に示すように、主幹用の回路遮断器として分電盤の箱体の一番端のスペースに配設されており、かつ、箱体の開口を塞ぐ分電盤カバーの窓孔からハンドルや漏電テスト釦、漏電表示部材等を配設した状態表示部が突出するように配設される。
【０００５】
しかしながら、定格電流が６０Ａ　以上のような大きな通電電流の場合には、零相変流器に挿通される編組線が太くなってしまって、２極分の幅寸法の器体内に収納できないという問題があり、また、編組線を収納するために、単に器体全体の幅寸法を大きくしてしまうと状態表示部が分電盤カバーに形成された窓孔に入りきれないという問題がある。
【０００６】
本発明は、かかる事由に鑑みて成されたものであり、その目的とするところは、例えば大きな電流に対応する大型の部品や沢山の部品等を配設することができ、かつ、分電盤カバーに形成される窓孔を広げる手間を省くことができる回路遮断器を提供することにある。
【０００７】
【課題を解決するための手段】
請求項１記載の回路遮断器は、分電盤カバーに形成した窓孔に臨むｎ極分の幅寸法の状態表示部が上面に形成された器体を長手方向の分割線で分割してケースおよびカバーを形成し、前記ケースおよび前記カバー間に各部品を横嵌め式に配設する回路遮断器において、
前記状態表示部の高さ位置よりも下段であって、前記カバーのケース対向面とは反対側に所定寸法突出して、前記分電盤カバーの内面に臨む部品収納部を設けたことを特徴とするものである。
【０００８】
請求項１記載の回路遮断器によれば、部品収納部によって器体全体がｎ　極分の幅寸法よりも大きな幅寸法に形成されているので、部品の配設スペースを多くすることができ、大型の部品や沢山の部品等を配設することができる。また、部品収納部は、状態表示部の高さ位置よりも下段として所定寸法例えば１　／２　極分の幅寸法以上突出して分電盤カバーの内面に臨むので、分電盤内に配設されたｎ極の回路遮断器を外してそのまま本発明の回路遮断器を配設する場合、分電盤カバーの窓孔に臨む状態表示部がｎ極分しかなく、分電盤カバーに形成される窓孔を広げる手間を省くことができ、分電盤内に配設する作業が容易となる。
【０００９】
請求項２記載の回路遮断器は、請求項１において、前記ケースおよび前記カバーが、状態表示部を分割する形で形成されたものである。
【００１０】
請求項２記載の回路遮断器によれば、状態表示部内に部品を配設する時に、ケースとカバーとの突合せ面から配設することができ、もって状態表示部内への部品配設作業が容易となる。
【００１１】
請求項３記載の回路遮断器は、請求項１または請求項２において、前記カバーが、前記部品収納部が前記ケースの底面に対して面一に形成されたものである。
【００１２】
請求項３記載の回路遮断器によれば、分電盤内に配設したときに、部品収納部もケース同様、分電盤の取付板に対して隙間なく取着でき、強固に取着することができる。
【００１３】
請求項４記載の回路遮断器は、請求項１において、前記所定寸法が１／２極分の幅寸法以上である。
【００１４】
請求項４記載の回路遮断器によれば、請求項１と同様な効果がある。
【００１５】
【発明の実施の形態】
この発明の一実施の形態を図１から図７により説明する。すなわち、この回路遮断器は漏電遮断器であり、図１に示すように、器体１の上面に状態表示部２を有するとともに、器体１がケース３およびカバー４、５で構成されている。状態表示部２は、器体１の上面に突出した突出部１ａの上面に設けられており、突出部１ａは図５に示すように分電盤カバー６に形成した窓孔７に臨むｎ極分、実施の形態では２極分の幅寸法Ｗを有し、この状態表示部２が上面に形成された器体１を長手方向の分割線８、９により３分割してケース３およびカバー４、５を形成している。この場合、ケース３およびカバー４、５は、状態表示部２を分割する形で形成されている。すなわち、ケース３とカバー４の対向面には切欠きを設けてハンドル１１を突出している。ケース３とカバー５の対向面には大小の切欠きを設けて押釦１２および表示窓１３を配置している。
【００１６】
また、状態表示部２の高さ位置よりも下段であって、カバー５のケース対向面とは反対側に所定寸法すなわちこの実施の形態では１　／２　極分の幅寸法以上突出して、分電盤カバー６の内面に臨む部品収納部１０を設けている。この所定寸法は例えば回路遮断器の定格電流が６０Ａ以上の場合の零相変流器および編組線の結線部を収納することができるように設定される。すなわち１／２極分の幅寸法あればこれらを収納可能であるが、これ以上の寸法も可能であり、そのときの最大寸法は分電盤の箱体３０の大きさ、回路遮断器の保持部材７３、箱体７０内の内部部品との位置関係などによって決まる。また部品収納部１０はケース３の底面に対して面一に形成されている。１５ａ、１５ｂは電源側端子、１６ａ、１６ｂは負荷側端子、１７はケース３とカバー４、５間を連結する連結具例えばリベットを貫通する孔である。
【００１７】
４３は取付レール（ＤＩＮレール）７８に嵌合するため器体１の底面に形成したの凹溝であり、４４はその内側面に突出した固定係止部（図２参照）、４５は取付レール７８に係脱自在に係合する着脱用の可動係止部すなわちスライダである。
【００１８】
ケース３およびカバー４、５間に各部品が横嵌め式に配設される。図２はケース３に対してカバー５を開いて内部部品の配置状態を示している。まず内部部品の構成を図４により説明する。電源側端子（可動側端子）１５ａと負荷側端子（固定側端子）１６ａには電圧線が接続され、この間に接点部１９、短絡検出コイル２０、例えば編組線を用いた可撓電線２２、バイメタル２１が順次直列に接続される。接点部１９は開閉装置４０によって開閉されるものであり、開閉装置４０はハンドル１１を有しハンドル操作で接点部１９を開閉できるとともに、短絡検出コイル２０およびバイメタル２１の動作に応動する引外し部材を有する瞬時引外し装置を具備し、引外し部材の動作で接点部１９を強制開極させる。これらは主にケース３とカバー４のスペースに配置される。つぎに、電源側端子１５ｂと負荷側端子１６ｂには接点部１８が接続され、この間に接点部１８および例えば編組線を用いた可撓電線２５が接続されている。負荷側端子１６ａ、１６ｂ間には漏電検出回路２６が接続され、これは回路基板２７に実装されている。漏電検出回路２６の入力端は零相変流器２８の２次巻線に接続され、出力端は検出コイル２９に接続され、検出コイル２９に所定の電流が流れることにより電磁石４７が動作し、開閉装置４０の引外し部材を動作させる。また負荷側端子１６ａ、１６ｂ間には可撓電線３０を介してテストスイッチ３１が接続されている。可撓電線２２、２５、３０は零相変流器２８の１次線となるように零相変流器２８のトロイダルコアに貫通している。これらの部品は主にケース３とカバー５間のスペースに配置される。
【００１９】
すなわち、図２および図３において、ケース３とカバー５の間のスペースには主に接地線に挿入される接点部１８のほか、回路基板２７、零相変流器２８等が収納される。まず回路基板２７は底部に配置される。零相変流器２８は回路基板２７の上側で電源側端子１５ｂと負荷側端子１６ｂ間のほぼ中央に配置される。零相変流器２８を貫通する可撓電線２２、２５、３０の各結線部をまとめて絶縁被覆した被覆部３３が図３に示すように部品収納部１０内に配置される。零相変流器２８の上方で突出部１ａ内の一側に検出コイル２９を有する電磁石４７が配置される。電磁石４７と並ぶように突出部１ａ内の他側に、接点部１８の可動接触子１８ａを保持する可動体４８の上端部がケース３に軸支され、電圧線側の接点部１９の可動接触子を保持する開閉装置４０の接触子リンク（図示せず）と連動するように連結する。これによって接点部１８、１９は同時に開閉する。９４は可動接触子１８ａの開極ばねである。状態表示部２の表示窓１３の裏側には表示片５１が移動自在に設けられ一方向にばね５２で付勢されている。漏電または地絡時に電磁石４７の動作により電磁石４７の近傍に設けた連動レバー５０を動かし、連動レバー５０で開閉装置４０の引外し部材を引外し動作すると同時に、ばね５２に抗して表示片５１を移動させ、その漏電表示部分を表示窓１３の下に位置させ、表示窓１３を通して漏電または地絡であることを表示する。一方、係止レバー５４の中間部がケース３に軸支されて一端が表示片５１の下部に位置しかつばね５６で表示片５１に向けて付勢され、他端が可動体４８に係合し、可動接触子１８ａのオン状態で可動体４８により係止レバー５４の一端をばね５６に抗して押下げている。電磁石４７の動作により連動レバー５０を作動して表示片５１をばね５２に抗して移動させると同時に、開閉装置４０をトリップ動作し、これに伴って接点部１８が開くように可動体４８が動作すると、係止レバー５４の一端が表示片５１に接近してこれを係止し、ハンドル操作で接点部１８を閉極するまで、表示片５１を移動した位置に保持する。したがって、漏電等があると零相変流器２８に１次電流の不平衡に基づく２次電流が現れ漏電検出回路２６で規定値以上であるか否かが判定され、規定値以上であると電磁石４７を動作する電流が検出コイル２９に供給され、その結果上記したように表示片５１を移動保持する。押釦１２の下部には、押釦１２により押圧されるテストスイッチ３１が配設されている。６１はその配線である。押釦１２を押すとテストスイッチ３１がオンとなり不平衡電流が零相変流器２８の１次側に流れ、２次側に出力が発生する。上記と同様に回路基板２７の漏電検出回路２６によりその出力が規定値を超えているとき検出コイル２９に動作電流を供給し、電磁石４７動作させる。これにより漏電テストを行うことが可能となる。なお、テストスイッチ６０がオンになることによって電源側が短絡されることになるから、トリップ動作後には保持体４８に設けた位置規制片９６によってテストスイッチ６０を強制的にオフにし、押釦１２を押し続けても短絡状態が継続することのないようにしている。
【００２０】
上記した内部部品のより詳しい説明は特開平８−１３８５１２号に開示されている。
【００２１】
図５から図８はこの回路遮断器を分電盤に適用した例を示している。導電性の箱体７０は上部側壁に電線を挿通するためのノックアウト孔７２を形成し、上部側壁の内側に端子台７１ａ、７１ｂを設けている。端子台７１ａの電線接続部は箱体７０を介して接地される。したがって負荷からのアース線はこの電線接続部に接続される。端子台７１ｂの電線接続部１０７は箱体７０に対して絶縁されている。保持部材７３は帯状板を折曲したものであり、箱体７０内の底部付近に配線スペース７５を介して位置する底片部７４と、箱体７０の側壁に沿う側片部７６と、箱体７０の上端縁に係止する固定片７７とで形成されている。底片部７４は取付レール（いわゆるＤＩＮレール）７８を設置している。主幹ブレーカとなる上記の回路遮断器８０および分岐ブレーカとなる複数の単極の回路遮断器８１がそれぞれ取付レール７８に係止して横並びに取付けられる。とくに回路遮断器８０は取付レール７８に沿って並んだ回路遮断器８１の端部でかつ部品収納部１０が外向きとなるよりに配置される。また底片部７４の両側には位置決め片１００が切起こしにより設けられ、回路遮断器８０、８１の両端部に位置決め片１００が嵌合する凹部１０１を形成しており、これによって回路遮断器８０、８１を位置決めする。導電バー８２が分岐ブレーカの回路遮断器８１の電源側端子に接続される。保持部材７３は箱体７０に収納され、固定片７７に形成しただるま孔８３を通してねじ８４により箱体７０の縁部にねじ止めされる。
【００２２】
回路遮断器８０の電源側端子１５ａ、１５ｂは外部から導入された電源線（図示せず）に接続される。回路遮断器８０の接地線側の負荷側端子１６ｂは配線スペース７５に通したリード線８５により端子台７１ｂに接続される。電圧線側の負荷側端子１６ａは配線スペース７５に通したリード線９３により導電バー８２にねじ接続される。そして分岐ブレーカの回路遮断器８１の負荷側端子と端子台７１ｂとの間に負荷が接続される。配線が終了すると、分電盤カバー６が固定片７７に形成したねじ孔９１に螺合するねじ８６により固定される。窓孔７は回路遮断器８０の状態表示部２すなわち漏電テスト用の押釦１２と表示片５１の窓孔１３とハンドル１１が露出し、その他の回路遮断器８０は各ハンドルが露出し、回路遮断器８１の部品収納部１０その他の部位および分岐用の回路遮断器８０のその他の部位は分電盤カバー６により隠蔽される。なお分電盤用カバー６の窓孔７には切り取り可能な蓋体１０６を設けており、これらを切り取ることによって分岐ブレーカの増設に対応できるようにしている。分電盤カバー６の窓孔７は分電盤カバー６にヒンジ付けした透明な蓋体９０により開閉自在に閉じられる。
【００２３】
分電盤に関する詳細は特開２００１−２８８１０に開示されている。
【００２４】
この回路遮断器によれば、部品収納部１０によって器体１の全体がｎ　極分の幅寸法よりも大きな幅寸法に形成されているので、部品の配設スペースを多くすることができ、大型の部品や沢山の部品等を配設することができる。また、部品収納部１０は、状態表示部２の高さ位置よりも下段として１　／２　極分の幅寸法以上突出して分電盤カバー６の内面に臨むので、分電盤内に配設されたｎ極数の回路遮断器を外してそのまま本発明の回路遮断器を配設する場合、分電盤カバー６の窓孔７に臨む状態表示部１０がｎ極分しかなく、分電盤カバー６に形成される窓孔７を広げる手間を省くことができ、分電盤内に配設する作業が容易となる。
【００２５】
また、状態表示部１０内に部品を配設する時に、ケース３とカバー４、５との突合せ面から配設することができ、もって状態表示部内への部品配設作業が容易となる。
【００２６】
さらに、分電盤内に配設したときに、部品収納部１０もケース同様、分電盤の取付板や取付レールに対して隙間なく取着でき、強固に取着することができる。
【００２７】
【発明の効果】
請求項１記載の回路遮断器によれば、部品収納部によって器体全体がｎ　極分の幅寸法よりも大きな幅寸法に形成されているので、部品の配設スペースを多くすることができ、大型の部品や沢山の部品等を配設することができる。また、部品収納部は、状態表示部の高さ位置よりも下段として所定寸法例えば１　／２　極分の幅寸法以上突出して分電盤カバーの内面に臨むので、分電盤内に配設されたｎ極の回路遮断器を外してそのまま本発明の回路遮断器を配設する場合、分電盤カバーの窓孔に臨む状態表示部がｎ極分しかなく、分電盤カバーに形成される窓孔を広げる手間を省くことができ、分電盤内に配設する作業が容易となる。
【００２８】
請求項２記載の回路遮断器によれば、状態表示部内に部品を配設する時に、ケースとカバーとの突合せ面から配設することができ、もって状態表示部内への部品配設作業が容易となる。
【００２９】
請求項３記載の回路遮断器によれば、分電盤内に配設したときに、部品収納部もケース同様、分電盤の取付板に対して隙間なく取着でき、強固に取着することができる。
【００３０】
請求項４記載の回路遮断器によれば、請求項１と同様な効果がある。
【図面の簡単な説明】
【図１】この発明の第１の実施の形態の斜視図である。
【図２】接地線側のカバーを外した状態の正面図である。
【図３】一方のカバーの破断側面図である。
【図４】回路遮断器の回路図である。
【図５】分電盤の分解斜視図である。
【図６】分電盤の横断面図である。
【図７】分電盤の縦断面図である。
【図８】分電盤の正面図である。
【図９】従来例の斜視図である。
【符号の説明】
１　　器体
２　　状態表示部
３　　ケース
４　　カバー
５　　カバー
６　　分電盤カバー
７　　窓孔
８　　分割線
１０　　部品収納部
１１　　ハンドル
【図１】
2004022371.tif 000003
【図２】
2004022371.tif 000004
【図３】
2004022371.tif 000005
【図４】
2004022371.tif 000006
【図５】
2004022371.tif 000007
【図６】
2004022371.tif 000008
【図７】
2004022371.tif 000009
【図８】
2004022371.tif 000010
【図９】
2004022371.tif 000011